(57)【要約】【課題】電源からの電力供給が瞬時に停止しても、継続して照明光を供給できる光源装置を提供する。【解決手段】商用電源からメインスイッチを介して供給される交流電力を、検出回路１００を介してスイッチ回路１０１に入力する。検出回路１００で、商用電源からの交流電力のレベルをチェックする。スイッチ回路１０１を光源部１４のランプ電源１１０に接続する。商用電源からの交流電力の一部を、コンバータ１０２を介して蓄電池１０３に充電する。蓄電池１０３は、インバータ１０４を介してスイッチ回路１０１に接続する。停電等により商用電源からの交流電力の供給が停止し、検出回路１００で交流電力のレベルダウンが検出されると、スイッチ回路１０１において、光源部１４のランプ電源１１０への電力供給の経路が蓄電池１０３からの経路に切り換えられる。【選択図】        図１
2004248755.tif 000002
【特許請求の範囲】
【請求項１】
光源と、
前記光源を点灯させるための電力を供給するための電源と、
蓄電池と、
前記電源から供給される電力の一部を前記蓄電池に充電する充電手段と、
前記蓄電池から所定の電力を放電させる放電手段と、
前記電源から供給される電力のレベルを検出する検出手段と、
前記電源から供給される電力と前記蓄電池から放電される前記所定の電力の一方を選択して前記光源に供給するよう切り換える切換手段とを備え、
前記検出手段により前記電源から供給される電力のレベルが所定のレベルより低いことが検出されたら、前記切換手段が、前記放電手段により前記蓄電池から放電される前記所定の電力が前記光源に供給されるよう切り換えることを特徴とする内視鏡光源装置。
【請求項２】
前記電源は商用交流電源であり、前記充電手段は、交流電力を直流電力に変換するコンバータを介して前記電源に接続され、前記放電手段は直流電力を交流電力に変換するインバータを介して前記光源に接続されることを特徴とする請求項１に記載の内視鏡光源装置。
【発明の詳細な説明】
【０００１】
【発明の属する技術分野】
本発明は、内視鏡の光源装置に関する。
【０００２】
【従来の技術】
従来、ファイバースコープが接続される光源装置には、被観察体に照明光を照射する光源として、キセノンランプ、ハロゲンランプ、メタルハライドランプ、水銀ランプ等が用いられている。通常はこれらのランプ（以下、主ランプ）からの出射光により患者の体内が照明され、ファイバースコープによる観察が可能となる。さらに、光源装置にはファイバースコープの操作中に主ランプが寿命や断ち切れにより点灯しなくなった場合に備え、非常灯としての副ランプが具備されている。ファイバースコープを患者の体内に挿入し、患部等を観察している最中に主ランプが動作しなくなると、体内の観察像が得られなくなるため、体内に挿入されたままのファイバースコープを取り出す等の操作を行うのは危険だからである（特許文献１参照）。この副ランプには、主ランプと同種のランプや低いＤＣ電圧（直流電圧）で点灯可能なタングステンランプが用いられる。
【０００３】
【特許文献１】
実開平７−２７０１２号公報
【０００４】
【発明が解決しようとする課題】
これらの主ランプ及び副ランプには商用電源から電力が供給される。従って、停電等により商用電源からの電力供給が瞬時に停止する場合や、光源装置内部のランプ電源ユニットが破損した場合には、主ランプ及び副ランプが点灯しないという問題があった。
【０００５】
本発明は以上の問題を解決するものであり、電源からの電力供給が瞬時に停止しても、継続して照明光を供給できる光源装置を提供することを目的とする。
【０００６】
【課題を解決するための手段】
本発明に係る内視鏡光源装置は、光源と、この光源を点灯させるための電力を供給するための電源と、蓄電池と、電源から供給される電力の一部を蓄電池に充電する充電手段と、蓄電池から所定の電力を放電させる放電手段と、電源から供給される電力のレベルを検出する検出手段と、電源から供給される電力と蓄電池から放電される所定の電力の一方を選択して光源に供給するよう切り換える切換手段とを備え、検出手段により電源から供給される電力のレベルが所定のレベルより低いことが検出されたら、切換手段が、放電手段により蓄電池から放電される所定の電力が光源に供給されるよう切り換えることを特徴とする。
【０００７】
好ましくは、電源は商用交流電源であり、充電手段は、交流電力を直流電力に変換するコンバータを介して電源に接続され、放電手段は直流電力を交流電力に変換するインバータを介して光源に接続される。
【０００８】
【発明の実施の形態】
以下、本発明の実施の形態を図面を参照して説明する。
図１は本発明に係る実施形態が適用される内視鏡システム１のブロック図であり、光源装置１０にスコープ（ファイバースコープ）２０が接続された状態を示す。光源装置１０のメインスイッチ１１の入力端子には商用電源（図示せず）が接続されている。メインスイッチ１１を適宜操作することにより、商用電源に基づいてメインスイッチ１１の出力端子から光源装置１０の各部への給電の開始及び停止が行われる。メインスイッチ１１の出力端子には制御回路電源（図示せず）が接続され、制御回路電源を介してシステムコントローラ１２に所定の直流電源電圧が供給される。システムコントローラ１２は、光源装置１０を全体的に制御するマイクロコンピュータである。即ち、システムコントローラ１２は、中央処理ユニット（ＣＰＵ）、種々のルーチンを実行するためのプログラム、常数等を格納する読出し専用メモリ（ＲＯＭ）、データ等を一時的に格納する書込み／読出し自在なメモリ（ＲＡＭ）から成る。また、メインスイッチ１１の出力端子にはランプ駆動回路１３が接続され、ランプ駆動回路１３には光源部１４が接続される。
【０００９】
ファイバースコープ２０は可撓性導管である挿入部２１を備えており、挿入部２１にはライトガイド・ファイバー・バンドル（ライトガイド）２２が挿通させられている。ファイバースコープ２０を光源装置１０に接続すると、ライトガイド２２の入射端は光源装置１０内に設けられた光源部１４に光学的に接続される。光源部１４からの出射光は、絞り機構１５を介してライトガイド２２の入射端に入射する。ライトガイド２２の入射端に入射した光束はライトガイド２２により挿入部２１の先端まで導かれ、配光光学系（図示せず）を介して被観察体に照射される。また、挿入部２１にはイメージガイド・ファイバー・バンドル（イメージガイド）２３が挿通させられている。被観察体からの反射光に基づく観察像は挿入部２１の先端に設けられた対物光学系（図示せず）を介してイメージガイド２３によりファイバースコープ２０の接眼部２４に設けられた接眼光学系２５まで導かれる。
【００１０】
光源装置１０において、絞り機構１５はシステムコントローラ１２に接続されている。光源装置１０の筐体に設けられたパネルシート（図示せず）には、光量調節のためのボタンが設けられている。この光量調節ボタンの操作に応じて、システムコントローラ１２から絞り機構１５へ制御信号が出力され、絞り機構１５が駆動される。その結果、光源部１４から出射されライトガイド２２の入射端に入射する光束の光量が調節される。
【００１１】
図２は、ランプ駆動回路１３及び光源部１４の構成を示すブロック図である。
商用電源からメインスイッチ１１（図１参照）を介して供給される交流電力は、ランプ駆動回路１３の検出回路１００を介してスイッチ回路１０１に入力される。検出回路１００は、商用電源から供給される交流電力のレベルが所定のレベルより低いかどうかをチェックするための回路である。交流電力のレベルをチェックした結果はスイッチ回路１０１へ制御信号として送信される。スイッチ回路１０１は光源部１４のランプ電源１１０に接続されている。即ち、商用電源から供給される交流電力は、検出回路１００でレベルチェックされ、スイッチ回路１０１を介して光源部１４のランプ電源１１０に入力される。入力された交流電力は、ランプ電源１１０内の整流回路により直流電力にされ、昇圧回路により所定のレベルまで昇圧され、ランプ１１１へ出力される。これにより、ランプ１１１が駆動される。尚、ランプ１１１として、キセノンランプ、ハロゲンランプ、メタルハライドランプ、水銀ランプ等が用いられる。
【００１２】
また、商用電源から供給される交流電力の一部は、コンバータ１０２により直流電力に変換されて蓄電池１０３に充電される。蓄電池１０３は、インバータ１０４を介してスイッチ回路１０１に接続されている。
【００１３】
停電等により商用電源からの交流電力の供給が停止し、検出回路１００において入力される交流電力のレベルが所定のレベルより低くなったことが検出されると、検出回路１００から対応した制御信号がスイッチ回路１０１へ送信され、スイッチ回路１０１において、光源部１４のランプ電源１１０への電力供給の経路が蓄電池１０３からの経路に切り換えられる。すなわち、蓄電池１０３に蓄積されていた直流電力がインバータ１０４により交流電力へ変換され、スイッチ回路１０１を介してランプ電源１１０へ入力される。
【００１４】
以上のように、本実施形態によれば、商用電源から所定レベルの交流電力が供給されている間は、交流電力が検出回路１００、スイッチ回路１０１を介してランプ電源１１０へ供給されると共に、コンバータ１０２により直流電力に変換されて蓄電池１０３に充電される。そして、検出回路１００により商用電源からの交流電力のレベルダウンが検出されると、蓄電池１０３に充電された直流電力がインバータ１０４により交流電力に変換され、スイッチ回路１０１を介してランプ電源１１０へ供給される。すなわち、停電等により商用電源からの電力供給が瞬時に停止されても、ランプ電源１１０への電力供給は途絶えることがなく、ランプ１１１からスコープ２０への照明光の供給は継続される。従って、商用電源からの電力供給の瞬停時でも、スコープ２０による観察を継続して行うことができる。
【００１５】
尚、検出回路１００に駆動電源が必要な場合は、商用電源からの交流電力がレベルダウンしても駆動電源として所定の電圧が常に供給されるよう構成される。
また、スイッチ回路１０１として交流電力のレベルダウンを検出する機能を有するものを用いても良い。この場合、スイッチ回路１０１自身が交流電力のレベルダウンを検出して、光源部１４のランプ電源１１０への電力供給の経路を蓄電池１０３からの経路に切り換えるので、検出回路１００が不要となる。さらに、本発明は電子内視鏡システムの光源装置にも適用できる。
【００１６】
【発明の効果】
以上のように、本発明によれば、電源からの電力供給が瞬時に停止しても、継続して照明光を供給できる光源装置が得られる。
【図面の簡単な説明】
【図１】本発明に係る実施形態が適用される内視鏡システムのブロック図である。
【図２】ランプ駆動回路と光源部のブロック図である。
【符号の説明】
１  内視鏡システム
１０  光源装置
１１  メインスイッチ
１２  システムコントローラ
１３  ランプ駆動回路
１４  光源部
１５  絞り機構
２０  スコープ
２１  挿入部
２２  ライトガイド
２３  イメージガイド
２４  接眼部
２５  接眼光学系
１００  検出回路
１０１  スイッチ回路
１０２  コンバータ
１０３  蓄電池
１０４  インバータ
１１０  ランプ電源
１１１  ランプ
【図１】
2004248755.tif 000003
【図２】
2004248755.tif 000004